(57)【要約】  本発明は、電気加熱式触媒における、ＰＭに起因した発熱体とケースとの間の絶縁性の低下を抑制することを目的とする。発熱体とケースとの間に位置するように設置された内管６ａを有する電気加熱式触媒において、該内管における絶縁支持部材の端面から排気中に突出している部分６ａの内周面又は外周面の少なくともいずれか一方に、その周面上を周回するような貴金属バンド１０を形成する。
2012056531.tif 000002
【特許請求の範囲】
【請求項１】
通電により発熱し、発熱することで触媒を加熱する発熱体と、
前記発熱体を収容するケースと、
前記発熱体と前記ケースとの間に設けられ、前記発熱体を支持すると共に電気を絶縁する絶縁支持部材と、
電気を絶縁し且つ前記絶縁支持部材よりも水が浸潤し難い材料によって形成された管状の部材であって、前記発熱体とケースとの間に位置するように設置され、且つその端部が前記絶縁支持部材の端面から排気中に突出している内管と、
前記内管における前記絶縁支持部材の端面から排気中に突出している部分の内周面又は外周面の少なくともいずれか一方に、その周面上を周回するようなバンド状に貴金属を塗布することで形成された貴金属バンドと、
を備える電気加熱式触媒。
【請求項２】
前記内管における前記絶縁支持部材の端面から排気中に突出している部分の内周面又は外周面の少なくともいずれか一方に、前記貴金属バンドが、隣り合う貴金属バンド間での絶縁を確保することが可能な間隔を空けて複数形成されている請求項１に記載の電気加熱式触媒。
【請求項３】
前記絶縁支持部材の上流側及び下流側の両方の端面から前記内管の端部が排気中に突出しており、前記内管における前記絶縁支持部材の上流側の端面から突出している部分に形成された前記貴金属バンドが、前記内管における前記絶縁支持部材の下流側の端面から突出している部分に形成された前記貴金属バンドを形成する貴金属より活性が高い貴金属によって形成されている請求項１又は２に記載の電気加熱式触媒。
【請求項４】
前記内管における前記絶縁支持部材の上流側の端面から突出している部分に形成された前記貴金属バンドは白金系金属によって形成されており、
前記内管における前記絶縁支持部材の下流側の端面から突出している部分に形成された前記貴金属バンドはＡｇによって形成されている請求項３に記載の電気加熱式触媒。
【発明の詳細な説明】
【技術分野】
【０００１】
本発明は、内燃機関の排気通路に設けられる電気加熱式触媒に関する。
【背景技術】
【０００２】
従来、内燃機関の排気通路に設けられる排気浄化触媒として、通電されることで発熱する発熱体によって触媒が加熱される電気加熱式触媒（Electric Heating Catalyst：以下、ＥＨＣと称する）が開発されている。【０００３】
ＥＨＣにおいては、通電によって発熱する発熱体と、該発熱体の収容するケースとの間に、該発熱体を支持すると共に電気を絶縁する絶縁支持部材が設けられる。例えば、特許文献１には、ＥＨＣにおいて、通電により発熱する担体と、該担体を収容するケースとの間に、絶縁体のマットを設ける技術が開示されている。【０００４】
また、特許文献２には、内燃機関の排気管内においてコロナ放電を発生させることにより排気微粒子を帯電・凝集させる凝集器に関する技術が開示されている。該特許文献２における凝集器は、放電部に高電圧を導く導電部と、導電部の外周を保持する碍子部とを有している。碍子部の外周表面から径方向にリング状突出部が突出しており、該突出部に酸化触媒層が形成されている。【０００５】
特許文献３には、ディーゼル排ガス浄化用触媒のフィルタ基材において、流入側セル側のセル隔壁表面にはアルカリ金属及びアルカリ土類金属から選ばれる少なくとも一種を含む流入側酸化触媒コート層を形成し、流出側セル側の該セル隔壁表面にはアルカリ金属及びアルカリ土類金属を含まない流出側酸化触媒コート層を形成することが記載されている。
【先行技術文献】
【特許文献】
【０００６】
【特許文献１】特開平０５−２６９３８７号公報
【特許文献２】特開２００６−３４２７３０号公報
【特許文献３】特開２００７−１１７９５４号公報
【発明の概要】
【発明が解決しようとする課題】
【０００７】
排気管内又はＥＨＣのケース内においては、排気中の水分が凝縮することで、凝縮水が発生することがある。該凝縮水が絶縁支持部材に浸入すると、該凝縮水によって、発熱体とケースとの間が短絡する虞がある。そこで、ＥＨＣでは、発熱体とケースとの間に位置するように絶縁支持部材によって挟み込まれた内管を設ける場合がある。この場合、内管は、電気を絶縁する材料であって且つ凝縮水が浸入し難い材料によって形成される。【０００８】
このような内管を設けることで、ケースの内壁面を流れて絶縁支持部材に浸入した凝縮水が、該絶縁支持部材の内部において発熱体まで到達することが抑制される。その結果、凝縮水によって発熱体とケースとの間が短絡することが抑制される。【０００９】
また、ＥＨＣに内管を設ける場合、該内管は、絶縁支持部材の端面から排気中に突出するように形成される。絶縁支持部材をこのように形成することで、ケースの内壁面を流れて絶縁支持部材に到達した凝縮水が、該絶縁支持部材の端面を伝って発熱体にまで至ることが該内管によって抑制される。従って、絶縁支持部材の端面での凝縮水による発熱体とケースとの間の短絡を抑制することができる。【００１０】
ところが、このような内管を設けると、該内管における絶縁保持部材の端面から突出した突出部に、排気中の粒子状物質（Particulate Matter:以下、ＰＭと称する）が付着し堆積する。ＰＭは導電性を有しているため、該内管の突出部にＰＭが堆積すると、発熱体とケースとの間の絶縁性が低下する虞がある。【００１１】
本発明は、このような問題に鑑みてなされたものであって、ＥＨＣにおける、ＰＭに起因した発熱体とケースとの間の絶縁性の低下を抑制することを目的とする。
【課題を解決するための手段】
【００１２】
本発明は、発熱体とケースとの間に位置するように設置された内管を有するＥＨＣにおいて、該内管における絶縁支持部材の端面から排気中に突出している部分の内周面又は外周面の少なくともいずれか一方に、その周面上を周回するような貴金属バンドを形成するものである。【００１３】
より詳しくは、本発明に係るＥＨＣは、
通電により発熱し、発熱することで触媒を加熱する発熱体と、
前記発熱体を収容するケースと、
前記発熱体と前記ケースとの間に設けられ、前記発熱体を支持すると共に電気を絶縁する絶縁支持部材と、
電気を絶縁し且つ前記絶縁支持部材よりも水が浸潤し難い材料によって形成された管状の部材であって、前記発熱体とケースとの間に位置するように設置され、且つその端部が前記絶縁支持部材の端面から排気中に突出している内管と、
前記内管における前記絶縁支持部材の端面から排気中に突出している部分の内周面又は外周面の少なくともいずれか一方に、その周面上を周回するようなバンド状に貴金属を塗布することで形成された貴金属バンドと、
を備える。【００１４】
本発明に係るＥＨＣにおいては、絶縁支持部材によって挟み込まれることで、或いはケースの内壁面と絶縁支持部材とで挟み込まれることで、発熱体とケースとの間に位置する内管が設けられている。また、該内管の端部は、絶縁支持部材の端面から排気中に突出している。以下、内管における絶縁支持部材の端面から排気中に突出している部分を、「突出部」と称する。【００１５】
そして、内管の突出部の内周面又は外周面の少なくともいずれか一方には、その周面上を周回するように貴金属バンドが形成されている。該貴金属バンドでは、活性酸素が生成される。該活性酸素により、貴金属バンド上に堆積したＰＭが酸化される。さらに、該活性酸素によれば、内管の突出部の内周面又は外周面上における貴金属バンド近傍の位置に堆積したＰＭも酸化することができる。そのため、絶縁支持部材の端面並びに内管の突出部の内周面及び外周面の全面に渡ってＰＭが堆積することを抑制することができる。従って、本発明によれば、ＰＭに起因した発熱体とケースとの間の絶縁性の低下を抑制することができる。【００１６】
本発明では、内管の突出部の内周面又は外周面の少なくともいずれか一方には、貴金属バンドが複数形成されてもよい。この場合、複数の貴金属バンドは、隣り合う貴金属バンド間での絶縁を確保することが可能な間隔を空けて形成される。【００１７】
上述したように、本発明においては、貴金属バンドで生成された活性酸素によって、貴金属バンド上に堆積したＰＭのみならず、該貴金属バンド近傍の位置に堆積したＰＭも酸化される。そのため、貴金属バンドを複数設けることで、より長い、絶縁のための沿面距離を確保することが可能となる。【００１８】
尚、内管の突出部の内周面又は外周面に三つ以上の貴金属バンドを設ける場合、隣り合う貴金属バンド間の間隔は、絶縁を確保することが可能であれば、必ずしも一定でなくてもよい。【００１９】
本発明に係るＥＨＣにおいては、絶縁支持部材の上流側及び下流側の両方の端面から内管の端部が排気中に突出している場合、該内管の上流側の突出部及び下流側の突出部のいずれにも貴金属バンドが設けられる。ここで、ＥＨＣに流入する排気の温度は、ＥＨＣから流出する排気の温度に比べて低い。そのため、内管の上流側の突出部では、その下流側の突出部に比べて、堆積したＰＭが酸化され難い。【００２０】
そこで、上流側の突出部に形成された貴金属バンドを、下流側の突出部に形成された貴金属バンドを形成する貴金属より活性が高い貴金属によって形成してもよい。これによれば、上流側の突出部に堆積したＰＭの酸化をより促進させることができる。【００２１】
上記の場合、例えば、上流側の突出部においては貴金属バンドを白金系金属によって形成し、下流側の突出部においては貴金属バンドをＡｇによって形成してもよい。白金系金属によれば、活性酸素のみならず、排気中のＮＯｘを還元する際に発生する酸素によってもＰＭを酸化させることができる。従って、上流側の突出部に堆積したＰＭの酸化をより促進させることができる。また、下流側の突出部では貴金属バンドをＡｇによって形成することで、上流側及び下流側の両方の突出部において貴金属バンドを白金系金属によって形成する場合に比べて、コストの削減を図ることができる。
【発明の効果】
【００２２】
本発明によれば、ＥＨＣにおける、ＰＭに起因した発熱体とケースとの間の絶縁性の低下を抑制することができる。
【図面の簡単な説明】
【００２３】
【図１】実施例１に係る電気加熱式触媒（ＥＨＣ）の概略構成を示す図である。
【図２】実施例１に係る内管の中心軸と垂直に交わる方向の断面形状を示す図である。
【図３】実施例１に係る内管の上流側の突出部の概略構成を示す拡大図である。
【図４】マットの端面及び内管の突出部の表面の全面にわたってＰＭが堆積した様子を示す図である。
【図５】実施例１に係る、内管の突出部の表面にＰＭが堆積した様子及び該ＰＭが酸化されたときの様子を示すイメージ図である。
【図６】実施例１に係る、内管の突出部の表面にＰＭが比較的厚く堆積した場合の様子を示している。
【図７】実施例１に係る貴金属バンドの他の構成を示す図である。
【図８】実施例１に係る電気加熱式触媒（ＥＨＣ）の他の構成を示す図である。
【図９】実施例２に係る内管の上流側及び下流側の突出部の概略構成を示す拡大図である。
【発明を実施するための形態】
【００２４】
以下、本発明の具体的な実施形態について図面に基づいて説明する。本実施例に記載されている構成部品の寸法、材質、形状、その相対配置等は、特に記載がない限りは発明の技術的範囲をそれらのみに限定する趣旨のものではない。
【００２５】
＜実施例＞
［ＥＨＣの概略構成］
図１〜３は、本実施例に係る電気加熱式触媒（ＥＨＣ）の概略構成を示す図である。本実施例に係るＥＨＣ１は、車両に搭載される内燃機関の排気管に設けられる。内燃機関は、ディーゼル機関であっても、ガソリン機関であってもよい。また、電気モータを備えたハイブリッドシステムを採用した車両においても本実施例に係るＥＨＣ１を用いることができる。
【００２６】
本実施例に係るＥＨＣ１は、触媒担体３、ケース４、マット５、内管６、及び電極７を備えている。触媒担体３は、円柱状に形成されており、その中心軸が排気管２の中心軸Ａと同軸となるように設置されている。触媒担体３には排気浄化触媒１３が担持されている。排気浄化触媒１３としては、酸化触媒、吸蔵還元型ＮＯｘ触媒、選択還元型ＮＯｘ触媒及び三元触媒等を例示することができる。
【００２７】
触媒担体３は、通電されると電気抵抗となって発熱する材料によって形成されている。触媒担体３の材料としては、ＳｉＣを例示することができる。触媒担体３は、排気の流れる方向（すなわち、中心軸Ａの方向）に伸び且つ排気の流れる方向と垂直な断面がハニカム状をなす複数の通路を有している。この通路を排気が流通する。尚、中心軸Ａと直交する方向の触媒担体３の断面形状は楕円形等であっても良い。中心軸Ａは、排気管２、触媒担体３、内管６、及びケース４で共通の中心軸である。
【００２８】
触媒担体３はケース４に収容されている。ケース４内には電極室９が形成されている。尚、電極室９の詳細については後述する。触媒担体３には、該電極室９を通して左右方向から一対の電極７が接続されている。電極７にはバッテリ（図示せず）から電気が供給される。電極７に電気が供給されると、触媒担体３に通電される。通電によって触媒担体３が発熱すると、触媒担体３に担持された排気浄化触媒１３が加熱され、その活性化が促進される。
【００２９】
ケース４は、金属によって形成されている。ケース４を形成する材料としては、ステンレス鋼材を例示することができる。ケース４は、中心軸Ａと平行な曲面を含んで構成される収容部４ａと、該収容部４ａよりも上流側及び下流側で該収容部４ａと排気管２とを接続するテーパ部４ｂ，４ｃと、を有している。収容部４ａの通路断面積は排気管２の通路断面積よりも大きくなっており、その内側に、触媒担体３、マット５、及び内管６が収容されている。テーパ部４ｂ，４ｃは、収容部４ａから離れるに従って通路断面積が縮小するテーパ形状をしている。
【００３０】
ケース４の収容部４ａの内壁面と触媒担体３の外周面との間にはマット５が挟み込まれている。つまり、ケース４内において、触媒担体３がマット５によって支持されている。また、マット５には内管６が挟み込まれている。図２は、内管６の中心軸Ａと垂直に交わる方向の断面形状を示す図である。図１及び２に示すように、内管６は、中心軸Ａを中心とした管状の部材である。マット５が、このような形状の内管６を挟み込むことで、該内管６によってケース４側と触媒担体３側とに分割されている。
【００３１】
マット５は、電気絶縁材によって形成されている。マット５を形成する材料としては、アルミナを主成分とするセラミックファイバーを例示することができる。マット５は、触媒担体３の外周面及び内管６の外周面に巻きつけられている。また、マット５は、上流側部分５ａと下流側部分５ｂとに分割されており、該上流側部分５ａと下流側部分５ｂとの間には空間が形成されている。マット５が、触媒担体３とケース４との間に挟み込まれていることで、触媒担体３に通電したときに、ケース４へ電気が流れることが抑制される。
【００３２】
内管６は、電気絶縁材によって形成されている。また、内管６は、マット５よりも水が浸潤し難い材料によって形成されている。内管６を形成する材料としては、アルミナを例示することができる。図１に示すように、内管６は、中心軸Ａ方向の長さがマット５より長い。そのため、内管６の上流側及び下流側の端部は、マット５の上流側及び下流側の端面から突出している。以下、内管６におけるマット５の端面から排気中に突出している部分６ａ、６ｂを、「突出部」と称する。
【００３３】
ケース４及び内管６には、電極７を通すために、貫通孔４ｄ，６ｃが開けられている。そして、ケース４内における、マット５の上流側部分５ａと下流側部分５ｂとの間の空間によって、電極室９が形成されている。つまり、本実施例においては、マット５の上流側部分５ａと下流側部分５ｂとの間における触媒担体３の外周面全周にわたって電極室９が形成される。
【００３４】
ケース４に開けられている貫通孔４ｄには、電極７を支持する電極支持部材８が設けられている。この電極支持部材８は電気絶縁材によって形成されており、ケース４と電極７との間に隙間なく設けられている。
【００３５】
ここで、本実施例に係る内管６の突出部６ａ、６ｂの構成について説明する。図３は、内管６の上流側の突出部６ａの概略構成を示す拡大図である。尚、内管６の下流側の突出部６ｂも同様の構成を有している。
【００３６】
本実施例では、内管６の突出部６ａに、その外周面上を周回する貴金属バンド１０が形成されている。該貴金属バンド１０は、突出部６ａの外周面上に、その周面上を周回するようなバンド状に貴金属（Ｐｔ、Ａｇ等）を塗布することで形成されている。
【００３７】
また、図３に示すように、隣り合う貴金属バンド１０間の間隔は、所定の間隔Ｗ１となっている。ここで、所定の間隔Ｗ１は、隣り合う貴金属バンド１０間での絶縁を確保することが可能な間隔の下限値以上の間隔である。尚、隣り合う貴金属バンド１０間の間隔は、絶縁を確保することが可能であれば、必ずしも等間隔でなくてもよい。
【００３８】
尚、本実施例においては、触媒担体３が本発明に係る発熱体に相当する。ただし、本発明に係る発熱体は触媒を担持する担体に限られるものではなく、例えば、発熱体は触媒の上流側に設置された構造体であってもよい。また、本実施例においては、ケース４が本発明に係るケースに相当し、マット５が本発明に係る絶縁支持部材に相当する。また、本実施例においては、内管６が本発明に係る内管に相当し、貴金属バンド１０が本発明に係る貴金属バンドに相当する。
【００３９】
［本実施例に係るＥＨＣの構成の作用効果］
本実施例に係るＥＨＣ１では、排気管２内又はケース４内において、排気中の水分が凝縮することで凝縮水が発生することがある。該凝縮水が、ケース４の内壁面から、マット５の内部又はその端面を伝って触媒担体３まで達すると、ケース４と触媒担体３との間が短絡する。
【００４０】
しかしながら、本実施例では、内管６がマット５に挟み込まれている。また、該内管６はマット５の端面から突出している。内管６がこのように形成されていることで、マット５の内部及びその端面における、ケース４の内壁面から触媒担体３への凝縮水の流れが該内管６によって遮断される。従って、ケース４と触媒担体３との間の凝縮水による短絡を抑制することができる。
【００４１】
なお、本実施例においては、必ずしもマット５の上流側及び下流側の両方から内管６が突出していなくともよい。例えば、凝縮水の発生量がより多い上流側のみに内管６の突出部が形成された構成としてもよい。
【００４２】
また、ＥＨＣ１においては、マット５の端面及び内管６の突出部６ａ、６ｂに排気中のＰＭが付着し堆積する。その結果、図４に示すように、マット５の端面及び内管６の突出部６ａ（又は６ｂ）の表面の全面にわたってＰＭが堆積すると、ケース４と触媒担体３との間が該ＰＭによって短絡する。
【００４３】
しかしながら、本実施例では、内管６の突出部６ａ、６ｂの外周面に貴金属バンド１０が形成されている。そして、該貴金属バンド１０によって生成される活性酸素によってＰＭが酸化され、除去される。これによって、ケース４と触媒担体３との間の絶縁性がＰＭに起因して低下することが抑制される。
【００４４】
ここで、貴金属バンド１０をＰｔによって形成した場合を例に挙げて、ＰＭの酸化のメカニズムについて説明する。貴金属バンド１０がＰｔによって形成されている場合、排気の熱によって該貴金属バンド１０の温度が上昇すると、下記式（１）に示すように、酸化白金から活性酸素が生成される。そして、該活性酸素によってＰＭが酸化される。
ＰｔＯ２→Ｐｔ４＋＋２Ｏ２−・・・式（１）
【００４５】
さらに、貴金属バンド１０がＰｔによって形成されている場合は、排気中のＮＯｘがＰｔによって還元され、ＮＯ２が生成される。該ＮＯ２によってもＰＭが酸化される。同様に、貴金属バンド１０が、Ｐｔ以外の白金系金属（Ｒｈ、Ｐｄ等）によって形成されている場合も、排気中のＮＯｘが還元されることで生成されたＮＯ２によってもＰＭが酸化される。
【００４６】
図５は、内管６の突出部６ａの表面にＰＭが堆積した様子及び該ＰＭが酸化されたときの様子を示すイメージ図である。図５（ａ）が、内管６の突出部６ａの表面にＰＭが堆積した様子を示しており、図５（ｂ）が、該ＰＭが酸化されたときの様子を示している。
【００４７】
図５（ａ）に示すように、ＰＭは、内管６の突出部６ａにおいて、その表面の全面、即ち貴金属バンド１０上および貴金属バンド１０が形成されていない部分の表面上に堆積する。そして、貴金属バンド１０において生成された活性酸素（Ｐｔの場合は、それに加えてＮＯ２）によって、貴金属バンド１０上に堆積したＰＭが酸化され除去される。
【００４８】
さらに、貴金属バンド１０において生成された活性酸素は、該貴金属バンド１０から僅かに離れた位置に堆積したＰＭをも酸化する。その結果、内管６の突出部６ａの表面における貴金属バンド１０間にＰＭが酸化されずに残ったとしても、該ＰＭと貴金属バンド１０との間に、Ｌ１で示すような沿面距離を確保することができる。本実施例においては、貴金属バンド１０が、内管６の突出部６ａの外周面において、その周面上を周回するようなバンド状に形成されていることで、このような沿面距離Ｌ１を内管６の突出部６ａの全周にわたって確保することができる。
【００４９】
また、内管６の突出部６ａの表面において、貴金属バンド１０を複数形成することで、ＰＭが酸化され除去されることで確保される沿面距離Ｌ１の総和をより長くすることができる。従って、本実施例によれば、ＰＭに起因した触媒担体３とケース４との間の絶縁性の低下を抑制することができる。
【００５０】
なお、本実施例においては、ＰＭが酸化され除去されることで確保される沿面距離Ｌ１の総和が、触媒担体３とケース４との間の絶縁性を十分に維持することが可能な距離となるように、内管６の突出部６ａ、６ｂの表面に形成する貴金属バンド１０の数を決定してもよい。また、触媒担体３とケース４との間の絶縁性を十分に維持可能であれば、貴金属バンド１０の数は必ずしも複数でなくてもよい。
【００５１】
また、図６は、内管６の突出部６ａの表面にＰＭが比較的厚く堆積した場合の様子を示している。このような場合であっても、貴金属バンド１０に接触している部分および貴金属バンド１０から僅かに離れた部分のＰＭが活性酸素によって酸化される。このとき、貴金属バンド１０上に形成されたＰＭの層が厚いために、貴金属バンド１０において生成された活性酸素が到達しないＰＭが存在すると、該ＰＭが酸化されずに突出部６ａの表面上に残ることになる。しかしながら、このように残ったＰＭは剥がれやすい。そのため、該ＰＭは、図６に示すように、排気の流れによって剥離する。従って、本実施例によれば、堆積したＰＭの層全体を除去することができる。
【００５２】
［その他の構成］
本実施例においては、図７に示すように、貴金属バンド１０が、内管６の突出部の内周面に形成されてもよい。この場合、内周面において、絶縁のための沿面距離を確保することができる。従って、上記と同様の効果を得ることができる。また、内管６の突出部の外周面および内周面の両方に貴金属バンド１０が形成されてもよい。
【００５３】
また、本実施例においては、図８に示すように、内管６が、マット５に挟み込まれずに、マット５の外周面とケース４の内周面とによって挟み込まれていてもよい。この場合でも、内管６の突出部６ａ、６ｂの内周面に貴金属バンド１０を形成することができる。
【００５４】
＜実施例２＞
［ＥＨＣの概略構成］
図９は、本実施例に係るＥＨＣ１における内管６の上流側及び下流側の突出部６ａ、６ｂの概略構成を示す拡大図である。本実施例においても、実施例１の場合と同様、内管６の上流側及び下流側の両方の突出部６ａ、６ｂに貴金属バンド１０ａ、１０ｂが形成されている。ただし、本実施例では、上流側の突出部６ａに形成される貴金属バンド（以下、上流側貴金属バンドと称する）１０ａと、下流側の突出部６ｂに形成される貴金属バンド（以下、下流側貴金属バンドと称する）１０ｂとが、異なる貴金属によって形成される点が実施例１と異なっている。この点以外の構成は実施例１に係るＥＨＣと同様である。
【００５５】
本実施例においては、下流側貴金属バンド１０ｂがＡｇによって形成されており、上流側貴金属バンド１０ａがＡｇより活性が高い白金系金属によって形成されている。ただし、両貴金属バンド１０ａ、１０ｂを形成する貴金属の組み合わせはこれに限られるものではなく、上流側貴金属バンド１０ａが下流側貴金属バンド１０ｂを形成する貴金属より活性の高い貴金属によって形成されていればよい。
【００５６】
［本実施例に係るＥＨＣの構成の作用効果］
ＥＨＣ１に流入する排気の温度は、ＥＨＣ１から流出する排気の温度に比べて低い。これは、ＥＨＣ１内において、排気浄化触媒１３での反応熱によって排気が昇温されるためである。排気の温度が低いと、排気の温度が高い場合に比べてＰＭが酸化され難い。そのため、ＥＨＣ１の内管６においては、下流側の突出部６ｂに比べて、上流側の突出部６ａの方が、堆積したＰＭが酸化され難い。
【００５７】
そこで、本実施例では、下流側貴金属バンド１０ｂをＡｇによって形成し、上流側貴金属バンド１０ａをＡｇより活性が高い白金系金属によって形成する。これによれば、排気の温度が低い上流側の突出部６ａにおいても、活性酸素によるＰＭの酸化を促進させることができる。その結果、ＰＭに起因した触媒担体３とケース４との間の絶縁性の低下をより高い確率で抑制することができる。
【００５８】
また、換言すれば、下流側貴金属バンド１０ｂには、上流側貴金属バンド１０ａほど活性が高い貴金属を用いなくても、下流側の突出部６ｂに堆積したＰＭを酸化させ除去することができる。そこで、本実施例では、白金系金属よりも安価なＡｇによって下流側貴金属バンド１０ｂを形成する。これにより、ＰＭに起因した触媒担体３とケース４との間の絶縁性の低下を抑制しつつ、貴金属バンド１０ａ、１０ｂにかかるコストを削減することができる。
【符号の説明】
【００５９】
１・・・電気加熱式触媒（ＥＨＣ）
３・・・触媒担体
４・・・ケース
５・・・マット
６・・・内管
７・・・電極
９・・・電極室
１０・・貴金属バンド
【図１】
2012056531.tif 000003
【図２】
2012056531.tif 000004
【図３】
2012056531.tif 000005
【図４】
2012056531.tif 000006
【図５】
2012056531.tif 000007
【図６】
2012056531.tif 000008
【図７】
2012056531.tif 000009
【図８】
2012056531.tif 000010
【図９】
2012056531.tif 000011
【国際調査報告】
2012056531.tif 000012
2012056531.tif 000013
2012056531.tif 000014
2012056531.tif 000015